(57)【要約】【課題】異物の発熱防止を簡単な回路で構築することができる非接触型充電器と非接触型充電装置を提供すること。【解決手段】充電台８０の発振回路１０４内において、一次側コイル１０４Ａに流れる電流Ｉを遮断するスイッチ１０６が設けられており、そのスイッチ１０６は制御部１０１によって動作される。これにより、充電台８０の制御部１０１は、発振回路１０４の一次側コイル１０４Ａに流れる電流Ｉの値に応じ、発振回路１０４内のスイッチ１０６を動作させて、発振回路１０４の一次側コイル１０４Ａから発生する磁束エネルギーを停止させたり、発振回路１０４の一次側コイル１０４Ａから磁束エネルギーを再び発生さたりすることで、充電台８０の載置用凹部８１ａに存在する金属物などの異物の発熱を回避したり、その後、充電台８０の載置用凹部８１ａに載置された子機５０の充電を行う。【選択図】図１
2008211951.tif 000002
【特許請求の範囲】
【請求項１】
子機を載置可能な筐体凹部と、
前記子機に対向して設置される一次側コイルと、
前記一次側コイルに磁束エネルギーを発生させるための発振部と、
前記発振部内の電流値又は電圧値を検出する検出部と、
前記検出部の検出結果に基づいて前記磁束エネルギーの発生を停止する制御部と、を備えたこと、を特徴とする非接触型充電器。
【請求項２】
請求項１に記載する非接触型充電器であって、
前記制御部は、前記発振部の発振を停止させること、を特徴とする非接触型充電器。
【請求項３】
請求項１に記載する非接触型充電器であって、
前記磁束エネルギーの発生を停止するためのスイッチ部を備え、
前記制御部は、前記スイッチ部を作動させること、を特徴とする非接触型充電器。
【請求項４】
請求項３に記載する非接触型充電器であって、
前記発振部内を流れる電流が最も少ない位置に前記スイッチ部を設けたこと、を特徴とする非接触型充電器。
【請求項５】
請求項１乃至請求項４のいずれか一つに記載する非接触型充電器であって、
前記制御部は、前記磁束エネルギーの発生を停止してから所定時間の経過後に前記磁束エネルギーを発生させること、を特徴とする非接触型充電器。
【請求項６】
請求項５に記載する非接触型充電器であって、
前記所定時間の経過を計測するタイマ部を備え、
前記制御部は、前記タイマ部を用いること、を特徴とする非接触型充電器。
【請求項７】
請求項１乃至請求項６のいずれか一つに記載する非接触型充電器であって、
前記制御部は、前記磁束エネルギーを発生させてから前記検出部で検出した前記発振部内の電流値又は電圧値を２つの異なる基準電流値又は２つの異なる基準電圧値で比較することによって、前記磁束エネルギーの発生を停止するか否かを決定すること、を特徴とする非接触型充電器。
【請求項８】
請求項７に記載する非接触型充電器であって、
前記制御部は、前記磁束エネルギーを発生させてから前記検出部で検出した前記発振部内の電流値が第１の基準電流値以上であれば、前記磁束エネルギーの発生を維持すること、を特徴とする非接触型充電器。
【請求項９】
請求項７又は請求項８に記載する非接触型充電器であって、
前記制御部は、前記検出部で検出した前記発振部内の電流値又は電圧値が過渡時のものであれば、前記検出部による検出をやり直すこと、を特徴とする非接触型充電器。
【請求項１０】
請求項１乃至請求項９のいずれか一つに記載する非接触型充電器であって、
前記発振部内の電流値のみを検出する回路を前記検出部として使用すること、を特徴とする非接触型充電器。
【請求項１１】
請求項１乃至請求項１０のいずれか一つに記載の非接触型充電器と、
前記非接触型充電器の筐体凹部に着脱自在であるとともに、前記筐体凹部に内設された前記一次側コイルに対し、前記筐体凹部に付けられた際に近傍に対向する二次側コイルが内設された子機と、を備えたこと、を特徴とする非接触型充電装置。
【請求項１２】
請求項１１に記載の非接触型充電装置であって、
前記子機には、前記二次側コイルから一定の電流を取り出すための定電流回路が設けられていること、を特徴とする非接触型充電装置。
【発明の詳細な説明】
【技術分野】
【０００１】
本発明は、コインなどの金属物の発熱を防止する非接触型充電器と非接触型充電装置に関するものである。
【背景技術】
【０００２】
従来より、磁束エネルギーの電力伝達により被充電器に充電を行う非接触型の充電器がある。非接触型の充電器では、コインなどの金属物が投入されると、渦電流によって金属物が発熱するので、そのような発熱を防止するために、被充電器か金属物かを検出する技術が開発されてきた。
【０００３】
例えば、下記特許文献１に記載された技術では、被充電器たる携帯電話機が充電器に設置され充電が開始されると、携帯電話機側で充電負荷を所定パターンで変動させ、その後に充電器側でその変動が所定パターンであることを所定期間内に検知したときに限って、充電に必要な大きさの磁束エネルギーを充電器側で発生し続ける。一方、コインなどの金属物が投入された場合には、上記変動を所定期間内に検知することは不可能であり、これにより、充電器に設置されたものが携帯電話機でないことが明らかになることから、充電器側は発生させている磁束エネルギーを微弱な大きさに切り替えたり、磁束エネルギーの発生を停止させたりすることで、金属物の発熱を回避する。
【特許文献１】特開２００２−３４１６９号公報
【発明の開示】
【発明が解決しようとする課題】
【０００４】
しかしながら、携帯電話機側で充電負荷を所定パターンで変動させ、さらに、充電器側でその変動が所定パターンであることを所定期間内に検知させるようにするには、携帯電話機側と充電器側の双方で複雑な制御回路を組み込まなければならなかった。
【０００５】
そこで、本発明は、上述した点を鑑みてなされたものであり、異物の発熱防止を簡単な回路で構築することができる非接触型充電器と非接触型充電装置を提供することを課題とする。
【課題を解決するための手段】
【０００６】
この課題を解決するために成された請求項１に係る発明は、非接触型充電器であって、子機を載置可能な筐体凹部と、前記子機に対向して設置される一次側コイルと、前記一次側コイルに磁束エネルギーを発生させるための発振部と、前記発振部内の電流値又は電圧値を検出する検出部と、前記検出部の検出結果に基づいて前記磁束エネルギーの発生を停止する制御部と、を備えたこと、を特徴とする。
【０００７】
また、請求項２に係る発明は、請求項１に記載する非接触型充電器であって、前記制御部は、前記発振部の発振を停止させること、を特徴とする。
【０００８】
また、請求項３に係る発明は、請求項１に記載する非接触型充電器であって、前記磁束エネルギーの発生を停止するためのスイッチ部を備え、前記制御部は、前記スイッチ部を作動させること、を特徴とする。
【０００９】
また、請求項４に係る発明は、請求項３に記載する非接触型充電器であって、前記発振部内を流れる電流が最も少ない位置に前記スイッチ部を設けたこと、を特徴とする。
【００１０】
また、請求項５に係る発明は、請求項１乃至請求項４のいずれか一つに記載する非接触型充電器であって、前記制御部は、前記磁束エネルギーの発生を停止してから所定時間の経過後に前記磁束エネルギーを発生させること、を特徴とする。
【００１１】
また、請求項６に係る発明は、請求項５に記載する非接触型充電器であって、前記所定時間の経過を計測するタイマ部を備え、前記制御部は、前記タイマ部を用いること、を特徴とする。
【００１２】
また、請求項７に係る発明は、請求項１乃至請求項６のいずれか一つに記載する非接触型充電器であって、前記制御部は、前記磁束エネルギーを発生させてから前記検出部で検出した前記発振部内の電流値又は電圧値を２つの異なる基準電流値又は２つの異なる基準電圧値で比較することによって、前記磁束エネルギーの発生を停止するか否かを決定すること、を特徴とする。
【００１３】
また、請求項８に係る発明は、請求項７に記載する非接触型充電器であって、前記制御部は、前記磁束エネルギーを発生させてから前記検出部で検出した前記発振部内の電流値が第１の基準電流値以上であれば、前記磁束エネルギーの発生を維持すること、を特徴とする。
【００１４】
また、請求項９に係る発明は、請求項７又は請求項８に記載する非接触型充電器であって、前記制御部は、前記検出部で検出した前記発振部内の電流値又は電圧値が過渡時のものであれば、前記検出部による検出をやり直すこと、を特徴とする。
【００１５】
また、請求項１０に係る発明は、請求項１乃至請求項９のいずれか一つに記載する非接触型充電器であって、前記発振部内の電流値のみを検出する回路を前記検出部として使用すること、を特徴とする。
【００１６】
また、請求項１１に係る発明は、非接触型充電装置であって、請求項１乃至請求項１０のいずれか一つに記載の非接触型充電器と、前記非接触型充電器の筐体凹部に着脱自在であるとともに、前記筐体凹部に内設された前記一次側コイルに対し、前記筐体凹部に付けられた際に近傍に対向する二次側コイルが内設された子機と、を備えたこと、を特徴とする。
【００１７】
また、請求項１２に係る発明は、請求項１１に記載の非接触型充電装置であって、前記子機には、前記二次側コイルから一定の電流を取り出すための定電流回路が設けられていること、を特徴とする。
【発明の効果】
【００１８】
すなわち、請求項１に係る発明の非接触型充電器では、充電相手の子機が設置可能な筐体凹部に異物が置かれると、その際に変化する発振部内の電流値又は電圧値を検出部が検出し、一次側コイルから発生している磁束エネルギーを制御部が停止するので、筐体凹部に置かれた異物の発熱防止を簡単な回路で構築することができる。
【００１９】
尚、一次側コイルから発生している磁束エネルギーを制御部が停止する際には、請求項２に係る発明の非接触型充電器のように、発振部の発振を停止させたり、また、請求項３に係る発明の非接触型充電器のように、スイッチ部を作動させたりする。
【００２０】
この点、請求項４に係る発明の非接触型充電器では、一次側コイルから発生している磁束エネルギーを制御部が停止するためのスイッチ部を発振部内を流れる電流が最も少ない位置に設けており、安価なスイッチを使用することができるので、コストダウンに貢献できる。
【００２１】
また、請求項５に係る発明の非接触型充電器では、制御部は、一次側コイルから発生している磁束エネルギーを停止してから所定時間の経過後に、再び、一次側コイルから磁束エネルギーを発生させるので、充電機能を復活させることができる。
【００２２】
尚、制御部が所定時間の経過を計測するには、請求項６に係る発明の非接触型充電器のように、タイマ部を使用する。
【００２３】
また、請求項７に係る発明の非接触型充電器では、制御部は、一次側コイルで磁束エネルギーを発生させた後に検出部で検出した発振部内の電流値又は電圧値を２つの異なる基準電流値又は２つの異なる基準電圧値で比較するので、３つの状態（充電機能を発揮している状態や、異物が筐体凹部に載置している状態、充電機能を準備（アイドリング）している状態）を判断することができ、筐体凹部に置かれた異物の発熱防止を適切に制御できる。
【００２４】
また、請求項８に係る発明の非接触型充電器では、一次側コイルで磁束エネルギーを発生させた後に検出部で検出した発振部内の電流値が第１の基準電流値以上であれば、充電機能を発揮している状態にあるので、制御部は、一次側コイルにおける磁束エネルギーの発生を維持することで、充電機能を発揮している状態を続行できる。
【００２５】
また、請求項９に係る発明の非接触型充電器では、制御部は、検出部で検出されても、発振部内の電流値又は電圧値が過渡時のものはキャンセルするので、異物が筐体凹部に載置している状態にあると誤判定することを防止できる。
【００２６】
また、請求項１０に係る発明の非接触型充電器では、発振部内の電流値のみを検出する回路を検出部として使用することで、安価な検出部を使用することができるので、コストダウンに貢献できる。
【００２７】
また、請求項１１に係る発明の非接触型充電装置では、非接触型充電器が、上記各効果を発揮しつつも、その筐体凹部に内設された一次側コイルと子機の二次側コイルによって、子機の充電を行うことができる。
【００２８】
また、請求項１２に係る発明の非接触型充電装置では、子機の充電状態にかかわらず、定電流回路により一定電流を子機内に流せるので、子機が非接触型充電器の筐体凹部に載置されたときには非接触型充電器の発振部内を流れる電流値も一定になり、子機が筐体凹部に載置されていることが非接触型充電器側で確実に判定することができる。
【発明を実施するための最良の形態】
【００２９】
以下に、本発明が適用された実施形態について、図面を用いて説明する。
図４はコードレス電話装置１の斜視図であり、図２（ａ）は本発明の子機５０の背面を示す斜視図であり、図２（ｂ）は本発明の充電台８０の斜視図であり、図１と図３はコードレス電話装置１の電気的構成を表すブロック図である。
【００３０】
コードレス電話装置１は、電話回線網１００（図３参照）を介して音声通話を実現する機能（電話通話機能）や電話回線網１００を介して画像データの送受信を行う機能（ファクシミリ機能）等を有しており、図４に示すように、電話回線網１００に接続される親機１０と、その親機１０との間で無線回線を介して接続される子機５０と、図示しない外部電源に接続され、子機５０を着脱可能に載置し、載置された子機５０を所定の電圧で充電するための充電台８０とから構成されている。尚、本実施形態のコードレス電話装置１において、ファクシミリ機能に関連する構成要素は、本発明とは直接関係ないため説明は省略する。
【００３１】
親機１０は、その親機本体ケース１１の側部に、親機１０本体から取り外した状態で使用される送受話器であるハンドセット１２が取り付けられている。更に、親機本体ケース１１の上面には、各種機能に関連する情報を表示するための表示パネル１３と、相手側の電話番号を入力するためのダイヤルボタン１４ａ，表示パネル１３に表示されるメニュー画面等で選択するときに操作される選択ボタン１４ｂなどの各種操作ボタン１４が備えられている。尚、表示パネル１３は、表示画面を背面から照明するバックライト付の液晶ディスプレイ（ＬＣＤ）である。
【００３２】
子機５０は、ハンドセットの形状をした子機本体ケース５１の表面上に、各種機能に関連する情報を表示するための表示パネル５３と、相手側の電話番号を入力するためのダイヤルボタン５４ａ，外線通話を開始するときに操作される外線通話ボタン５４ｂ，通話を終了するときに操作される切ボタン５４ｃ，表示パネル５３に表示されるメニュー画面等で選択するときに操作される選択ボタン５４ｄ等の各種操作ボタン５４とが備えられている。
【００３３】
尚、表示パネル５３は、表示画面を背面から照明するバックライト付の液晶ディスプレイ（ＬＣＤ）である。充電台８０は、図２（ｂ）に示すように、子機５０を着脱可能に載置する載置用凹部８１ａが形成された充電台本体８１から構成される。
【００３４】
次に、コードレス電話装置１の電気的構成について、図３を用いて説明する。
親機１０は、親機１０全体の動作を制御する制御部２０，ハンドセット１２，表示パネル１３，操作ボタン１４，子機５０との間で音声信号（通話信号に相当）やデータ信号を無線通信により送受信する無線通信部３０等を備えている。
【００３５】
制御部２０には、操作ボタン１４からの出力信号、無線通信部３０からの出力信号（音声・データ信号）、コードレス電話装置１外部からの音声信号が入力される。
また、制御部２０は、コードレス電話装置１外部から入出力する音声信号の伝送先および伝送元となる伝送経路を設定する。具体的に説明すると、ハンドセット１２が親機１０本体から取り外された場合には、伝送経路をハンドセット１２に切り換え、子機５０により通話を開始するための通話開始操作が行われた場合には、伝送経路を無線通信部３０に切り換える。
【００３６】
更に、制御部２０は、子機５０との間で無線通信を行うためのデータ信号や音声信号を無線通信部３０に出力したり、ハンドセット１２及び無線通信部３０からの音声信号をコードレス電話装置１外部へ出力する。
【００３７】
無線通信部３０は、ＣＰＵ，ＲＡＭ，ＲＯＭ，Ａ／Ｄ変換器等からなる無線通信制御部３２と、ＥＥＰＲＯＭ３４と、コンパンダ３６と、子機５０との間で無線通信を行うためのＲＦモジュール３８と、を備えている。
【００３８】
コンパンダ３６は、子機５０から送信された無線信号をＲＦモジュール３８を介して取得し、その信号を音声信号とデータ信号とに切り分け、音声信号を制御部２０に送り、データ信号を無線通信制御部３２に送る。また、コンパンダ３６は、制御部２０からの音声信号や、無線通信制御部３２からのデータ信号をＲＦモジュール３８に送る。
【００３９】
ＲＦモジュール３８は、無線通信制御部３２と通信可能に構成されており、無線通信制御部３２からの指令に基づき、無線通信に使用する無線チャンネルを周波数の異なる複数の無線チャンネルの中から選択し、その選択した無線チャンネルを用いて、コンパンダ３６からの出力信号を子機５０へ送信すると共に、子機５０から送信されてくる無線信号を受信する。
【００４０】
無線通信制御部３２には、制御部２０やコンパンダ３６から出力されるデータ信号が入力され、無線通信制御部３２は、制御部２０からのデータ信号をコンパンダ３６に出力する。
【００４１】
次に、子機５０は、子機５０全体の動作を制御する制御部６０と、表示パネル５３と、操作ボタン５４と、レシーバ６２と、マイク６４と、コンパンダ６６と、親機１０（詳しくは、ＲＦモジュール３８）との間で音声信号やデータ信号を無線通信により送受信するためのＲＦモジュール６８と、ＥＥＰＲＯＭ７０と、操作ボタン５４を背後から照らすための操作ボタンＬＥＤ７２と、子機５０全体に電源を供給する二次電池２０４（図１参照）を充電台８０から供給される電源電圧により充電する被充電回路５５と備えている。
【００４２】
コンパンダ６６は、親機１０から送信された無線信号をＲＦモジュール６８を介して取得し、その信号を音声信号とデータ信号とに切り分け、音声信号をレシーバ６２に送り、データ信号を制御部６０に送る。また、コンパンダ６６は、マイク６４からの音声信号や、制御部６０からのデータ信号をＲＦモジュール６８に送る。
【００４３】
ＲＦモジュール６８は、制御部６０と通信可能に構成されており、制御部６０からの指令に基づき、無線通信に使用する無線チャンネルを８９個の無線チャンネルの中から選択し、その選択した無線チャンネルを用いてコンパンダ６６からの出力信号を親機１０へ送信すると共に、親機１０から送信されてくる無線信号を受信する。
【００４４】
制御部６０は、ＣＰＵ，ＲＡＭ，ＲＯＭ，Ａ／Ｄ変換器等を備えており、操作ボタン５４からの出力信号やコンパンダ６６からのデータ信号が入力される。
また、制御部６０は、親機１０との間で無線通信を行うためのデータ信号をコンパンダ６６に出力する。
【００４５】
次に、充電台８０は、ＣＰＵ，ＲＡＭ，ＲＯＭ，ＥＥＰＲＯＭ，ＴＩＭＥＲ等からなる制御部１０１と、充電回路８２を備え、外部の所要電源からの供給を受けることにより所定の磁界を発生し、子機５０に非接触型の電源供給を行う。
【００４６】
そこで、子機５０と充電台８０との間で行われる非接触型の電源供給に関して説明する。図１のブロック図に示すように、充電台８０の充電回路８２には、整流回路１０３と、発振回路１０４とが設けられている。整流回路１０３は、電源コード１１１を経て外部の所要電源から供給を受けた交流電力を直流電力とする。発振回路１０４は、一次側コイル１０４Ａや抵抗１０４Ｂ等を有し、整流回路１０３からの直流電力が入力され、１２０ｋＨｚ程度の周波数で発振させることにより、一次側コイル１０４Ａから交流電力の磁束エネルギーを発生させる。
【００４７】
一方、子機５０の被充電回路５５には、二次側コイル２０１と、整流回路２０２と、定電流回路２０３と、二次電池２０４とが設けられている。二次側コイル２０１は、充電台８０の載置用凹部８１ａに子機５０が載置された際に充電台８０の一次側コイル１０４Ａと対向して、充電台８０の一次側コイル１０４Ａから発生する交流電力の磁束エネルギーを受電する。整流回路２０２は、二次側コイル２０１で受電した交流電力を直流電力にする。定電流回路２０３は、整流回路２０２から出力された直流電流を一定電流とする。そして、二次電池２０４は、定電流回路２０３に接続されており、定電流回路２０３から出力された直流電流によって充電される。
【００４８】
但し、本実施の形態では、充電台８０の充電回路８２おいて、電流検出回路１０５が設けられている。電流検出回路１０５は、Ａ／Ｄコンバータ１０５Ａ等を有し、発振回路１０４の一次側コイル１０４Ａに流れる電流の値Ｉを検出する。具体的には、一次側コイル１０４Ａと同じ電流が流れる抵抗値１０４Ｂの電圧値を検出し、Ａ／Ｄコンバータ１０５Ａでデジタル化して、制御部１０１に入力することにより行っている。
【００４９】
図５は、発振回路１０４の一次側コイル１０４Ａに流れる電流Ｉについて示した図である。図５によれば、充電台８０の載置用凹部８１ａに子機５０が載置された場合に、充電状態になると、発振回路１０４の一次側コイル１０４Ａには電流値Ｉ1以上の電流Ｉが流れる。一方、充電台８０の載置用凹部８１ａに子機５０が載置されていない場合には、アイドリング状態にあり、発振回路１０４の一次側コイル１０４Ａには電流値Ｉ2以下の電流Ｉが流れる。
【００５０】
従って、充電台８０の制御部１０１は、発振回路１０４の一次側コイル１０４Ａに流れる電流Ｉの値を取得すれば、充電台８０の載置用凹部８１ａに子機５０が載置されているか否かを判定できる。さらに、発振回路１０４の一次側コイル１０４Ａに流れる電流の値Ｉが電流値Ｉ1と電流値Ｉ2の間にあれば、金属物などの異物が充電台８０の載置用凹部８１ａに存在すると判定できる。
【００５１】
また、本実施の形態では、図１に示すように、充電台８０の発振回路１０４内において、一次側コイル１０４Ａに流れる電流Ｉを遮断するスイッチ１０６が、発振回路１０４に流れる電流の量が最も少ない位置に設けられており、そのスイッチ１０６は制御部１０１によって動作される。これにより、充電台８０の制御部１０１は、発振回路１０４の一次側コイル１０４Ａに流れる電流Ｉの値に応じ、発振回路１０４内のスイッチ１０６を動作させて、発振回路１０４の一次側コイル１０４Ａから発生する磁束エネルギーを停止させたり、発振回路１０４の一次側コイル１０４Ａから磁束エネルギーを再び発生さたりすることで、充電台８０の載置用凹部８１ａに存在する金属物などの異物の発熱を回避したり、その後、充電台８０の載置用凹部８１ａに載置された子機５０の充電を行う。
【００５２】
図６は、そのためのプログラムを示したフローチャート図である。尚、図６のフローチャートで示されたプログラムは、充電台８０の制御部１０１のＲＯＭに記憶されており、制御部１０１のＣＰＵにより実行される。
【００５３】
充電台８０では、図６に示すように、先ず、ステップ（以下、「Ｓ」と略記する）１１において、発振の開始を行う。ここで、制御部１０１は、発振回路１０４内のスイッチ１０６を動作させてＯＮとし、これにより、発振回路１０４の一次側コイル１０４Ａには電流Ｉが流れて、発振が開始され、発振回路１０４の一次側コイル１０４Ａから磁束エネルギーが発生する。
【００５４】
Ｓ１２では、発振回路１０４の一次側コイル１０４Ａに流れる電流Ｉの値を検出する。ここでは、制御部１０１は、上述したように、ＡＤコンバータ１０５Ａより入力されたデジタルデータにより、発振回路１０４の一次側コイル１０４Ａに流れる電流Ｉの値を検出する。
【００５５】
Ｓ１３では、制御部１０１は、発振回路１０４の一次側コイル１０４Ａに流れる電流Ｉの値が電流値Ｉ1以上か否かを判定する。ここで、発振回路１０４の一次側コイル１０４Ａに流れる電流Ｉの値が電流値Ｉ1以上である場合には（Ｓ１３：ＹＥＳ）、充電状態にあるので（図５参照）、上記Ｓ１２に戻って、上述した処理を繰り返す。一方、発振回路１０４の一次側コイル１０４Ａに流れる電流Ｉの値が電流値Ｉ1以上でない場合には（Ｓ１３：ＮＯ）、Ｓ１４に進む。
【００５６】
Ｓ１４では、制御部１０１は、発振回路１０４の一次側コイル１０４Ａに流れる電流Ｉの値が電流値Ｉ2以下か否かを判定する。ここで、発振回路１０４の一次側コイル１０４Ａに流れる電流Ｉの値が電流値Ｉ2以下である場合には（Ｓ１４：ＹＥＳ）、アイドリング状態にあるので（図５参照）、上記Ｓ１２に戻って、上述した処理を繰り返す。一方、発振回路１０４の一次側コイル１０４Ａに流れる電流Ｉの値が電流値Ｉ2以下でない場合には（Ｓ１４：ＮＯ）、発振回路１０４の一次側コイル１０４Ａに流れる電流の値Ｉが電流値Ｉ1と電流値Ｉ2の間にあり、金属物などの異物が充電台８０の載置用凹部８１ａに存在するものとされ、Ｓ１５に進む。
【００５７】
Ｓ１５では、発振の停止を行う。ここで、制御部１０１は、発振回路１０４内のスイッチ１０６を動作させてＯＦＦとし、これにより、発振回路１０４の一次側コイル１０４Ａには電流Ｉが流れなくなり、発振回路１０４の一次側コイル１０４Ａから発生する磁束エネルギーが停止する。
【００５８】
Ｓ１６では、タイマーの開始を行う。これにより、制御部１０１のＴＩＭＥＲが動作し、所定時間の計測を開始する。
【００５９】
Ｓ１７では、タイムアップしたか否かを判定する。すなわち、制御部１０１のＴＩＭＥＲによって、上記Ｓ１６で計測を開始してから所定時間が経過したか否かを判定する。そして、タイムアップするまで待機し（Ｓ１７：ＮＯ）、タイムアップすれば（Ｓ１７：ＹＥＳ）、上記Ｓ１１に戻る。これにより、発振回路１０４の一次側コイル１０４Ａから磁束エネルギーが再び発生する。
尚、所定時間の計測は、プログラムで行ってもよい。
【００６０】
図７は、発振回路１０４の一次側コイル１０４Ａに流れる電流Ｉについて、充電台８０の載置用凹部８１ａでの載置状況に関連させて示した図である。先ず、充電台８０の載置用凹部８１ａに何も載置されていない状況では、アイドリング状態にあり、発振回路１０４の一次側コイル１０４Ａには、電流値Ｉ2以下の電流が流れる（Ｓ１３：ＮＯ，Ｓ１４：ＹＥＳ）。その後、充電台８０の載置用凹部８１ａに金属の異物が載置されると、その異物に渦電流が流れ、発振回路１０４の一次側コイル１０４Ａには、電流値Ｉ1と電流値Ｉ2間の電流Ｉが流れる（Ｓ１３：ＮＯ，Ｓ１４：ＹＥＳ）。これにより、発振は停止し（Ｓ１５）、発振回路１０４の一次側コイル１０４Ａに電流Ｉが流れなくなり、充電機能が停止する。その後、所定時間が経過すれば（Ｓ１７：ＹＥＳ）、発振が開始され（Ｓ１１）、発振回路１０４の一次側コイル１０４Ａに電流Ｉが流れるようになり、充電機能が回復する。もっとも、充電台８０の載置用凹部８１ａに金属の異物が載置されたままであれば、発振回路１０４の一次側コイル１０４Ａに、再び、電流値Ｉ1と電流値Ｉ2間の電流Ｉが流れるので（Ｓ１４：ＮＯ）、上述した事象が繰り返される。これによって、充電台８０の載置用凹部８１ａに載置された金属の異物が発熱することを回避する。
【００６１】
一方、充電台８０の載置用凹部８１ａから金属の異物が除去された後でも、所定時間が経過し（Ｓ１７：ＹＥＳ）、発振が開始されると（Ｓ１１）、発振回路１０４の一次側コイル１０４Ａに電流Ｉが流れるようになるが、アイドリング状態にあることから、発振回路１０４の一次側コイル１０４Ａに、電流値Ｉ2以下の電流が流れる（Ｓ１３：ＮＯ，Ｓ１４：ＹＥＳ）。その後、充電台８０の載置用凹部８１ａに子機５０が載置されると、充電状態となり、発振回路１０４の一次側コイル１０４Ａに、電流値Ｉ1以上の電流が流れる（Ｓ１３：ＹＥＳ）。
【００６２】
但し、図８に示すように、充電台８０の載置用凹部８１ａに子機５０が載置された直後の瞬間ｔＡ（例えば、数ｍｓｅｃ）には、発振回路１０４の一次側コイル１０４Ａに、電流値Ｉ1と電流値Ｉ2間の電流Ｉが流れる。この点は、充電台８０の載置用凹部８１ａから子機５０が離脱された直後の瞬間ｔＢ（例えば、数ｍｓｅｃ）も同様である。これでは、それらの瞬間ｔＡ，ｔＢにおいて、発振回路１０４の一次側コイル１０４Ａに流れる電流Ｉの値を検出してしまうと（Ｓ１２）、金属物などの異物が充電台８０の載置用凹部８１ａに存在するものとされ（Ｓ１３：ＮＯ，Ｓ１４：ＮＯ）、発振の停止・開始（Ｓ１５〜Ｓ１７，Ｓ１１）を不必要に行ってしまう。そこで、本実施形態では、上記Ｓ１２において、発振回路１０４の一次側コイル１０４Ａに流れる電流Ｉの値を連続して２度検出している。
【００６３】
以上詳細に説明したように、本実施形態では、充電台８０において、充電相手の子機５０が設置可能な載置用凹部８１ａに金属などの異物が置かれると、その異物に渦電流が流れ、発振回路１０４の一次側コイル１０４Ａに、電流値Ｉ1と電流値Ｉ2間の電流Ｉが流れる。これを制御部１０１が電流検出回路１０５を介して検出すると（Ｓ１４：ＮＯ）、発振回路１０４内のスイッチ１０６を動作させて、発振回路１０４の一次側コイル１０４Ａに流れる電流を遮断する（Ｓ１５）。これにより、発振回路１０４の一次側コイル１０４Ａから発生する磁束エネルギーが停止するので、載置用凹部８１ａに置かれた異物の発熱防止を簡単な回路で構築することができる。
【００６４】
また、発振回路１０４内のスイッチ１０６については、図１に示すように、発振回路１０４に流れる電流の量が最も少ない位置に設けており、安価なスイッチを使用できるので、コストダウンに貢献できる。
【００６５】
尚、発振回路１０４の一次側コイル１０４Ａから発生する磁束エネルギーを停止させる際には、スイッチ１０６の他にも、例えば、制御部１０１が発振回路１０４の発振自体を停止させるようにしてもよい。
【００６６】
その後、充電台８０では、制御部１０１のＴＩＭＥＲを動作させ（Ｓ１６）、一次側コイル１０４Ａから発生している磁束エネルギーを停止してから所定時間の経過後に（Ｓ１７：ＹＥＳ）、発振回路１０４内のスイッチ１０６を動作させて、発振回路１０４の一次側コイル１０４Ａに電流を流す（Ｓ１１）。これにより、再び、発振回路１０４の一次側コイル１０４Ａから磁束エネルギーが発生するので、充電機能を復活させることができる。
【００６７】
また、充電台８０では、制御部１０１は、発振回路１０４の一次側コイル１０４Ａから磁束エネルギーを発生させた後に（Ｓ１１）、発振回路１０４の一次側コイル１０４Ａに流れる電流の値Ｉを検出し（Ｓ１２）、２つの異なる基準の電流値Ｉ1，Ｉ2で比較しており（Ｓ１３，Ｓ１４）、３つの状態（充電機能を発揮している状態や、異物が載置用凹部８１ａに載置している状態、アイドリング状態）を判断することができるので（図５参照）、載置用凹部８１ａに置かれた異物の発熱防止を適切に制御できる（図７参照）。
【００６８】
そして、充電台８０では、発振回路１０４の一次側コイル１０４Ａに流れる電流の値Ｉが電流値Ｉ1以上であれば（Ｓ１３：ＹＥＳ）、充電機能を発揮している状態にある。従って、発振回路１０４の一次側コイル１０４Ａに流れる電流の値Ｉが電流値Ｉ1以上である限り（Ｓ１３：ＹＥＳ）、制御部１０１は、上記検出（Ｓ１２）と上記比較（Ｓ１３）の各処理を繰り返すことで、発振回路１０４の一次側コイル１０４Ａにおける磁束エネルギーの発生を維持し、充電機能を発揮している状態を続行する。
【００６９】
また、充電台８０では、制御部１０１は、上記検出（Ｓ１２）において、発振回路１０４の一次側コイル１０４Ａに流れる電流Ｉの値を連続して２度検出することにより、アイドリング状態と充電状態の過渡期の瞬間ｔＡ，ｔＢの検出値をキャンセルするので、異物が載置用凹部８１ａに載置している状態にあると誤判定することを防止できる。
【００７０】
また、充電台８０では、発振回路１０４の一次側コイル１０４Ａに流れる電流Ｉの値のみを検出する回路を使用しており（図１参照）、安価な検出部を使用することができるので、コストダウンに貢献できる。
【００７１】
また、図１に示すように、子機５０の被充電回路５５には定電流回路２０３が組み込まれており、子機５０の二次電池２０４の充電状態にかかわらず、定電流回路２０３により一定電流を流せるので、子機５０が充電台８０の載置用凹部８１ａに載置されたときには、充電台８０では、発振回路１０４の一次側コイル１０４Ａに流れる電流の値Ｉも一定になり、子機５０が充電台８０の載置用凹部８１ａに載置されていることが充電台８０側で確実に判定することができる。
【００７２】
尚、本発明は上記実施の形態に限定されるものでなく、その趣旨を逸脱しない範囲で様々な変更が可能である。
例えば、発振の停止が行われたのであれば（Ｓ１５）、金属物などの異物が充電台８０の載置用凹部８１ａに存在するものとされることから、充電台８０にスピーカを備えて警告音を鳴らしたり、充電台８０に無線機能を備えて親機１０や子機５０にその旨のデータを送信し、親機１０や子機５０から警告音を鳴らしたり警告内容を表示したりして、ユーザに知らせるようにしてもよい。
【００７３】
また、発振回路１０４の一次側コイル１０４Ａに流れる電流Ｉの値を検出するには、ピックアップコイルやホール素子などの磁気センサーを一次側コイル１０４Ａの近傍付近に設置して、一次側コイル１０４Ａから発生する磁気エネルギーを検出することにより、間接的に行ってもよい。
【００７４】
また、充電台８０では、載置用凹部８１ａに金属などの異物が置かれて、その異物に渦電流が流れると、発振回路１０４の一次側コイル１０４Ａにかかる電圧Ｖの値も変化し、その値は、充電中の電圧値とアイドリング中の電圧値の間になることから、電流検出回路１０５に代わって、発振回路１０４の一次側コイル１０４Ａにかかる電圧Ｖの値を検出する回路を使用しても、上記各効果を奏することは可能である。
【００７５】
また、充電台８０においては、ＣＰＵ，ＲＡＭ，ＲＯＭ，ＥＥＰＲＯＭ等の構成がなくても、上記発振の停止・開始を回路構成によって行うことが可能である。
【産業上の利用可能性】
【００７６】
本発明は、異常な充電を検知・防止する技術に適用し得る。
【図面の簡単な説明】
【００７７】
【図１】本実施形態の電話装置の電気的構成を表すブロック図である。
【図２】電話装置の子機および充電台の斜視図である。
【図３】電話装置の電気的構成を表すブロック図である。
【図４】電話装置の斜視図である。
【図５】充電台内の発振回路の一次側コイルに流れる電流について示した図である。
【図６】充電台の載置用凹部に存在する金属物などの異物の発熱を回避したり、その後、充電台の載置用凹部に載置された子機の充電を行うためのプログラムを示したフローチャート図である。
【図７】充電台内の発振回路の一次側コイルに流れる電流と充電台の載置用凹部の載置状況の関係を示した図である。
【図８】充電台内の発振回路の一次側コイルに流れる電流と充電台の載置用凹部の載置状況の関係を示した図である。
【符号の説明】
【００７８】
１    コードレス電話機
１０    親機
５０    子機
８０    充電台
８１ａ  載置用凹部
１０１    制御部
１０４    発振回路
１０４Ａ  一次側コイル
１０５    電流検出回路
１０６    スイッチ
２０１    二次側コイル
２０３    定電流回路
【図１】
2008211951.tif 000003
【図２】
2008211951.tif 000004
【図３】
2008211951.tif 000005
【図４】
2008211951.tif 000006
【図５】
2008211951.tif 000007
【図６】
2008211951.tif 000008
【図７】
2008211951.tif 000009
【図８】
2008211951.tif 000010